(57)【要約】【課題】  操作者の操作の手間を軽減する。【解決手段】  実施形態の決済装置は、複数のアンテナと、決済手段とを備える。決済手段は、複数のアンテナのうちの１つを介して決済処理のための無線通信が開始されたことに応じて、当該のアンテナに関連付けられた決済サービスを利用する決済のための決済処理を実行する。【選択図】      図４
2020057156.tif 000002
【特許請求の範囲】
【請求項１】
複数のアンテナと、
前記複数のアンテナのうちの１つを介して決済処理のための無線通信が開始されたことに応じて、当該のアンテナに関連付けられた決済サービスを利用する決済のための決済処理を実行する決済手段と、
を具備した決済装置。
【請求項２】
表示デバイスと、
それぞれ前記表示デバイスに重ねられるとともに、互いに前記表示デバイスの表示面に沿って配置された複数のアンテナと、
複数の決済サービスのうちから利用する決済サービスを選択するべきときに、前記表示面における前記複数のアンテナにそれぞれ対応付けられた複数の領域のそれぞれに、その対応付けられた前記アンテナに関連付けられた前記決済サービスを識別可能とする画像を表す画面を表示するように前記表示デバイスを制御する制御手段と、
前記複数のアンテナのうちの１つを介して決済処理のための無線通信が開始されたことに応じて、当該のアンテナに関連付けられた決済サービスを利用する決済のための決済処理を実行する決済手段と、
を具備した決済装置。
【請求項３】
前記表示デバイスの前記表示面に重ねて設けられ、タッチ位置を検出するタッチセンサをさらに備え、
前記複数のアンテナは、前記表示デバイスの表示面と前記タッチセンサとの間に配置されている、
請求項２に記載の決済装置。
【請求項４】
前記制御手段は、決済の対象となる取引に関して利用が許容される決済サービスを識別可能とする前記画像を有効なものとして表すように前記表示デバイスを制御する、
請求項２又は請求項３に記載の決済装置。
【請求項５】
前記アンテナを介した無線通信を行う通信手段と、
前記通信手段による無線通信が行われていないときに、前記複数のアンテナのうちで前記通信手段に接続するアンテナを時分割で切り替える切替手段と、
をさらに具備し、
前記決済手段は、前記通信手段による前記無線通信が開始された際に前記切替手段により前記通信手段に接続されている前記アンテナに関連付けられた決済サービスを利用する決済のための決済処理を実行する、
請求項１−請求項４のいずれか一項に記載の決済装置。
【請求項６】
買上商品を登録する登録手段と、
表示デバイスと、
それぞれ前記表示デバイスに重ねられるとともに、互いに前記表示デバイスの表示面に沿って配置された複数のアンテナと、
前記登録手段が前記登録を行っているときに、前記登録のための操作のための画面を表示し、複数の決済サービスのうちから利用する決済サービスを選択するべきときに、前記表示面における前記複数のアンテナにそれぞれ対応付けられた複数の領域のそれぞれに、その対応付けられた前記アンテナに関連付けられた前記決済サービスを識別可能とする画像を表す画面を表すように前記表示デバイスを制御する制御手段と、
前記複数のアンテナのうちの１つを介して決済処理のための無線通信が開始されたことに応じて、当該のアンテナに関連付けられた決済サービスを利用して、前記登録手段により買上商品として登録された商品の販売に関する決済金額を決済するための決済処理を実行する決済手段と、
を具備した販売処理装置。
【発明の詳細な説明】
【技術分野】
【０００１】
本発明の実施形態は、決済装置及び販売処理装置に関する。
【背景技術】
【０００２】
非接触式の電子マネー決済サービスには、共通の通信方式を用いる複数種が存在する。
このため、電子マネー決済に対応した決済装置及び販売処理装置においては従来、記憶媒体に記憶されている決済データを非接触通信により取得するのに先立って、どの電子マネー決済サービスを利用するのかを認識する必要がある。そしてこのために、操作者によるサービスの指定を受け付けている。
つまり、電子マネーサービスの利用に当たっては、複数種の決済サービスのうちの１つを指定する操作を操作者が行う手間があった。
このような事情から、操作者の操作の手間を軽減できることが望まれていた。
【先行技術文献】
【特許文献】
【０００３】
【特許文献１】特開２０１１−３１５０号公報
【発明の概要】
【発明が解決しようとする課題】
【０００４】
本発明が解決しようとする課題は、操作者の操作の手間を軽減できる決済装置及び販売処理装置を提供することである。
【課題を解決するための手段】
【０００５】
実施形態の決済装置は、複数のアンテナと、決済手段とを備える。決済手段は、複数のアンテナのうちの１つを介して決済処理のための無線通信が開始されたことに応じて、当該のアンテナに関連付けられた決済サービスを利用する決済のための決済処理を実行する。
【図面の簡単な説明】
【０００６】
【図１】一実施形態に係るチェックアウト装置の要部回路構成を示すブロック図。
【図２】図１中のアンテナの配置を模式的に示す図。
【図３】図１中のプロセッサによる情報処理のフローチャート。
【図４】図１中のプロセッサによる情報処理のフローチャート。
【図５】登録画面のフォームの一例を示す図。
【図６】第１の方法選択画面を示す図。
【図７】第２の方法選択画面を示す図。
【発明を実施するための形態】
【０００７】
以下、実施の形態の一例について図面を用いて説明する。なお、本実施の形態では、買上商品の登録を行う商品登録装置及び当該登録された買上商品の代金の決済のための処理を行う決済装置としての機能を備えたチェックアウト装置を例に説明する。
【０００８】
図１は本実施の形態に係るチェックアウト装置１００の要部回路構成を示すブロック図である。なお本実施形態のチェックアウト装置１００は、セルフチェックアウト装置、セルフチェックアウト式のＰＯＳ端末、あるいはセルフレジ装置とも呼ばれる。チェックアウト装置１００は、主として買物客により操作される。従って、買物客がチェックアウト装置１００の操作者である。ただし、店員がチェックアウト装置１００の操作者となることもある。
【０００９】
チェックアウト装置１００は、プロセッサ１、メイン記憶ユニット２、補助記憶ユニット３、計量ユニット４、表示デバイス５、タッチセンサ６、固定スキャナ７、ハンディスキャナ８、プリンタ９、自動釣銭機１０、カードリーダ１１、近接通信ユニット１２、切替器１３、アンテナ１４ａ，１４ｂ，１４ｃ、通信ユニット１５及び伝送路１６を備える。そして、プロセッサ１、メイン記憶ユニット２及び補助記憶ユニット３が伝送路１６によって接続されることによって、チェックアウト装置１００としての各種の機能を実現するための情報処理を実行するコンピュータが構成されている。
【００１０】
プロセッサ１は、上記コンピュータの中枢部分に相当する。プロセッサ１は、オペレーティングシステム、ミドルウェア及びアプリケーションプログラム等の情報処理プログラムに従って、チェックアウト装置１００としての各種の機能を実現するための情報処理を実行する。プロセッサ１は、例えばＣＰＵ（central processing unit）である。
【００１１】
メイン記憶ユニット２は、上記コンピュータの主記憶部分に相当する。メイン記憶ユニット２は、不揮発性のメモリ領域と揮発性のメモリ領域とを含む。メイン記憶ユニット２は、不揮発性のメモリ領域では上記の情報処理プログラムの少なくとも一部を記憶する。またメイン記憶ユニット２は、プロセッサ１が各部を制御するための処理を実行する上で必要なデータを不揮発性又は揮発性のメモリ領域で記憶する場合もある。メイン記憶ユニット２は、揮発性のメモリ領域を、プロセッサ１によってデータが適宜書き換えられるワークエリアとして使用する。不揮発性のメモリ領域は例えばＲＯＭ（read only memory）である。揮発性のメモリ領域は例えばＲＡＭ（random access memory）である。
【００１２】
補助記憶ユニット３は、上記コンピュータの補助記憶部分に相当する。例えばＥＥＰＲＯＭ（electric erasable programmable read-only memory）、ＨＤＤ（hard disc drive）、あるいはＳＳＤ（solid state drive）等が補助記憶ユニット３として使用される。補助記憶ユニット３は、プロセッサ１が各種の処理を行う上で使用するデータや、プロセッサ１での処理によって作成されたデータを保存する。補助記憶ユニット３は、上記の情報処理プログラムの一部を記憶する場合もある。
【００１３】
計量ユニット４は、登録済みの商品の重量を計測する。
表示デバイス５は、操作者に各種の情報を報知するための各種の画面を表示面に表示する。当該各種の画面の一部はＧＵＩ（graphical user interface）を構成するものである。表示デバイス５としては、例えば液晶表示パネルなどが用いられる。
タッチセンサ６は、表示デバイス５の表示面に重ねて配置されて、当該表示面へのタッチ操作がなされた場合にそのタッチ位置を検出する。これによりタッチセンサ６は、ＧＵＩの操作のためのタッチ操作を受け付ける。
【００１４】
固定スキャナ７は、翳された商品を撮像した上で、当該商品に表示されたバーコードを画像処理によって識別する。そして固定スキャナ７は、識別したバーコードが表す情報をプロセッサ１へ出力する。なお、固定スキャナ７は、レーザ光の反射を利用してバーコードを識別するような他のタイプの周知のデバイスを利用することもできる。固定スキャナ７は、商品自体の画像の特徴に基づくオブジェクト認識技術を用いて商品を識別する機能を備えていてもよい。
【００１５】
ハンディスキャナ８は、典型的には操作者による手持ちにて使用される。ハンディスキャナ８は、商品に表示されたバーコードを読み取って、そのバーコードが表した情報をプロセッサ１へ出力する。
【００１６】
プリンタ９は、レシートプリンタ及びジャーナルプリンタを含む。レシートプリンタは、レシート用紙に各種の情報をプリントすることにより各種の証票を発行する。各種の証票は、商取引の内容などを表したレシートなどである。ジャーナルプリンタは、レシートプリンタによりレシート用紙にプリントされる情報を含んだジャーナルデータをジャーナル用紙にプリントする。ジャーナル用紙は、保守者によって取り出されない限りは、チェックアウト装置１００の内部に保留される。なお、ジャーナルデータを、取引の個々を識別するための取引コードに関連付けて補助記憶ユニット３に記憶しておき、必要に応じてレシートプリンタによりレシート用紙にプリントするようにしてもよい。この場合は、プリンタ９にジャーナルプリンタを備える必要はない。
【００１７】
自動釣銭機１０は、投入される硬貨及び紙幣を収受する。また自動釣銭機１０は、釣銭としての硬貨及び紙幣を排出する。
カードリーダ１１は、クレジットカードに記録されたクレジットデータを読み取り、プロセッサ１へ出力する。クレジットデータは、クレジットカード番号、名義人氏名、有効期限、カードブランドなどを表す。
【００１８】
近接通信ユニット１２は、アンテナ１４ａ，１４ｂ，１４ｃのいずれかを介して、電子マネー決済のためのＩＣ（integrated circuit）タグとの間での近接無線通信を行う。つまり近接通信ユニット１２は、通信手段の一例である。
切替器１３は、アンテナ１４ａ，１４ｂ，１４ｃのうちの近接通信ユニット１２に接続するものを時分割に切り替える。つまり切替器１３は、切替手段の一例である。
アンテナ１４ａ，１４ｂ，１４ｃはそれぞれ、近接通信ユニット１２がＩＣタグと近接無線通信を行うための電波を送受信する。アンテナ１４ａ，１４ｂ，１４ｃには、それぞれ異なる電子マネー決済事業者により提供される別々の決済サービスがそれぞれに予め関連付けられる。アンテナ１４ａ，１４ｂ，１４ｃのそれぞれにどの決済サービスを関連付けるかは任意であり、チェックアウト装置１００の設計者又は管理者等により適宜に定められてよい。
【００１９】
通信ユニット１５は、図示しない通信ネットワークに接続された図示しない装置との間で所定の通信プロトコルに従いデータ通信を行う。通信ネットワークとしては、典型的にはＬＡＮ（local area network）が用いられる。しかしながら通信ネットワークとしては、ＬＡＮの他に、インターネット、ＶＰＮ（virtual private network）、公衆通信網、移動体通信網などを、単独又は適宜に組み合わせて用いることができる。通信ユニット１５としては、通信ネットワークの通信方式に準じた周知のデバイスを用いることができる。通信ユニット１５がデータ通信を行う相手となる装置は、例えばＰＯＳサーバなどである。
伝送路１６は、アドレスバス、データバス、制御信号線等を含み、接続されている各部の間で授受されるデータ及び制御信号を伝送する。
【００２０】
図２はアンテナ１４ａ，１４ｂ，１４ｃの配置を模式的に示す図である。なお図２において図１に示されるのと同一の要素については同一の符号を付している。
アンテナ１４ａ，１４ｂ，１４ｃはそれぞれ、表示デバイス５の表示面に、その表示面に交差する方向を指向方向とする姿勢で配置されている。アンテナ１４ａ，１４ｂ，１４ｃは、表示デバイス５の表示面に沿って、互いに離間して配置されている。アンテナ１４ａ，１４ｂ，１４ｃは、透明な導電材によりなり、表示デバイス５に表示される画面を透過する。そして、アンテナ１４ａ，１４ｂ，１４ｃを表示デバイス５との間に挟み込む状態でタッチセンサ６が配置されている。なお、タッチセンサ６も透明であり、表示デバイス５に表示される画面を透過する。かくして表示デバイス５での表示画面は、タッチセンサ６及びアンテナ１４ａ、１４ｂ，１４ｃを介して目視可能である。つまり表示デバイス５及びタッチセンサ６は、アンテナ１４ａ，１４ｂ，１４ｃを内在させたタッチパネルを構成している。
【００２１】
次に以上のように構成されたチェックアウト装置１００の動作について説明する。
プロセッサ１は、買物客の操作に応じて当該買物客の買い物のチェックアウトのための処理を行うべき動作モードにチェックアウト装置１００が設定されているとき、以下に説明する情報処理を実行する。
【００２２】
なお、メイン記憶ユニット２又は補助記憶ユニット３は、後述する情報処理について記述した情報処理プログラムを記憶する。当該の情報処理プログラムは、チェックアウト装置１００のハードウェアの譲渡の際にメイン記憶ユニット２又は補助記憶ユニット３に記憶されていてもよいし、上記のハードウェアとは別に譲渡されてもよい。後者の場合、情報処理プログラムは、磁気ディスク、光磁気ディスク、光ディスク、半導体メモリなどのようなリムーバブルな記録媒体に記録して、あるいはネットワークを介して譲渡される。後者の場合は例えば、情報処理プログラムはバージョンアッププログラムとして提供されて、人為的な操作に応じてプロセッサ１により補助記憶ユニット３４に書き込まれる。そして当該情報処理プログラムは、メイン記憶ユニット２又は補助記憶ユニット３に既に記憶されている同種の別の情報処理プログラムに置き換えて使用される。
【００２３】
図３及び図４はプロセッサ１による情報処理のフローチャートである。なお、以下に説明する情報処理は一例であって、一部の処理の順序の変更、一部の処理の省略、あるいは別の処理の追加などは適宜に可能である。
【００２４】
Ａｃｔ１としてプロセッサ１は、商品リストのクリアなどの初期化処理を行う。なお商品リストは、１つの商取引の対象となる買上商品のリストであり、メイン記憶ユニット２又は補助記憶ユニット３に記憶される。商品リストは、少なくとも買上商品のそれぞれを識別するための商品コードを含む。商品リストは、買上商品のそれぞれの商品名及び単価などのデータを含んでいてもよい。
Ａｃｔ２としてプロセッサ１は、登録画面を表示デバイス５に表示させる。登録画面は、買上商品を登録する操作のための画面である。
【００２５】
図５は登録画面ＳＣ１のフォームの一例を示す図である。
登録画面ＳＣ１は、ボタン群ＢＧ１及びえリアＡＲ１，ＡＲ２を表す。
ボタン群ＢＧ１は、１５個のボタンを含む。ボタン群ＢＧ１に含まれる各ボタンには、それぞれに機能が予め割り当てられる。なお、ボタン群ＢＧ１にいくつのボタンを含めるか、及び各ボタンにどの機能を割り当てるかは任意であり、チェックアウト装置１００の設計者又は管理者等により適宜に定められてよい。図５の例では、ボタン群ＢＧ１に含まれるボタンのうちの右下角に位置する１つは、登録を終えて決済へと進むことを指示するためのボタンに割り当てられている。ボタン群ＢＧ１のその他のボタンは、買上商品として登録する商品を指定するためのボタンに割り当てられている。
【００２６】
エリアＡＲ１は、最も新しく指定された買上商品に関する商品名、数量及び単価を表す。「商品Ｇ」「１点」「１２８円」なる文字列が、それぞれ商品名、数量及び単価を表す。
エリアＡＲ２は、登録済みの買上商品の総数と、総額とを表す。例えば「６点」及び「１，３６３円」なる文字列が、総数及び総額を表す。
なお図５においては、エリアＡＲ１，ＡＲ２がどのような情報を表すのかを分かり易くするために、いくつかの買上商品が登録済みである状態を示している。しかしながら、プロセッサ１は、Ａｃｔ２においては、上記のように買上商品に関する情報を表す文字列をエリアＡＲ１，ＡＲ２には表さない。
【００２７】
Ａｃｔ３としてプロセッサ１は、買上登録する商品の指定がなされたか否かを確認する。そしてプロセッサ１は、該当する指定がなされていないならばＮｏと判定し、Ａｃｔ４へと進む。
Ａｃｔ４としてプロセッサ１は、決済が指示されたか否かを確認する。そしてプロセッサ１は、該当する指示がなされていないならばＮｏと判定し、Ａｃｔ３へと戻る。
かくしてプロセッサ１はＡｃｔ３及びＡｃｔ４としては、商品の指定又は決済の指示のいずれかがなされるのを待ち受ける。
【００２８】
買物客は、自らが買い上げる商品を売場からピックアップし、該当の商品をチェックアウトコーナーへと持って行く。そして買物客は、チェックアウトコーナーに設置されたチェックアウト装置１００の前に立ち、商品を買上登録のための登録操作を行う。登録操作は、買上商品に表示されたバーコードを固定スキャナ７に読み取らせる動作、バーコードをハンディスキャナ８に読み取らせる動作、あるいは登録画面ＳＣ１にて買上商品が割り当てられたボタンにタッチする動作などである。また、固定スキャナ７が、商品自体の画像の特徴に基づくオブジェクト認識技術を用いて商品を識別する機能を備えるならば、青果物などのバーコードが付されていない商品を固定スキャナ７に撮影させる動作も、登録操作に含まれる。
【００２９】
プロセッサ１は、これらの登録操作のいずれかが行われた場合にはＡｃｔ３にてＹｅｓと判定し、Ａｃｔ５へと進む。
Ａｃｔ５としてプロセッサ１は、指定された商品を買上商品として表すように商品リストを更新する。プロセッサ４１は例えば、指定された商品の商品コードを商品リストに追加する。
【００３０】
Ａｃｔ６としてプロセッサ１は、表示デバイス５で表示させる登録画面を更新する。プロセッサ１は具体的には、上記のように更新した商品リストの内容を反映するように登録画面のエリアＡＲ１，ＡＲ２内の表示を更新する。そしてプロセッサ１はこののち、Ａｃｔ３及びＡｃｔ４の待受状態に戻る。
かくして情報処理プログラムに基づく情報処理をプロセッサ１が実行することによって、プロセッサ１を中枢部分とするコンピュータは、買上商品を登録する登録手段として機能する。
【００３１】
買物客は、買い物を終えるべく全ての買上商品を登録し終えたならば、決済を指示するための予め定められた操作を行う。例えば買物客は、登録画面ＳＣ１におけるボタン群ＢＧ１に含まれている決済へと進むことを指示するためのボタンにタッチする。プロセッサ１は、このようなボタンタッチがタッチセンサ６により検出されたならば、Ａｃｔ４にてＹｅｓと判定し、Ａｃｔ７へと進む。
【００３２】
Ａｃｔ７としてプロセッサ１は、全ての買上商品の販売に関する決済金額を算出する。この決済金額の算出のための具体的な処理は、同種の別のチェックアウト装置によって行われているのと同様な処理を適用できる。
【００３３】
Ａｃｔ８としてプロセッサ１は、予め用意された複数の方法選択画面のうちの１つを取引の内容に応じて選択する。方法選択画面は、決済方法の選択を買物客に行わせるための画面である。本実施形態では、第１及び第２の２つの方法選択画面が用意されていることとする。
【００３４】
図６は第１の方法選択画面ＳＣ２を示す図である。
第１の方法選択画面ＳＣ２は、ボタンＢＵ１，ＢＵ２及び案内画像ＧＩ１，ＧＩ２，ＧＩ３を表す。なお、図６における破線は、アンテナ１４ａ，１４ｂ，１４ｃの位置を表しているのであって、第１の方法選択画面ＳＣ２に表されているものではない。
【００３５】
ボタンＢＵ１は、現金による決済を指定するためのボタンである。ボタンＢＵ２は、クレジットによる決済を指定するためのボタンである。案内画像ＧＩ１，ＧＩ２，ＧＩ３は、電子マネー決済を利用する際にＩＣタグを近接させるべき領域を案内するための画像である。案内画像ＧＩ１，ＧＩ２，ＧＩ３は、アンテナ１４ａ，１４ｂ，１４ｃにそれぞれ対応付けられ、その対応するアンテナに対向するように第１の方法選択画面ＳＣ２内における表示位置が定められている。案内画像ＧＩ１，ＧＩ２，ＧＩ３は、対応付けられたアンテナに関連付けられている決済サービスによる電子マネー決済を利用する場合にＩＣタグを近接させるべき領域を表す枠線と、文字メッセージとをそれぞれ表す。文字メッセージは、どの決済サービスを利用する場合に、どこにＩＣタグを近接させればよいのかを買物客に知らせる。図６に示す方法選択画面は、アンテナ１４ａに対して「サービスＡ」なる決済サービスが関連付けられている場合のものである。このため、案内画像ＧＩ１が表す文字メッセージは、「サービスＡはここにタッチ」として、「サービスＡ」なる決済サービスを利用する場合には、ＩＣタグを案内画像ＧＩ１に近接させるべきであることを買物客に知らせるものとしている。
【００３６】
かくして第１の方法選択画面は、表示デバイス５の表示面における複数のアンテナにそれぞれ対応付けられた複数の領域のそれぞれに、その対応付けられたアンテナに関連付けられた決済サービスを識別可能とする画像を表した画面に相当する。かくして情報処理プログラムに基づく情報処理をプロセッサ１が実行することによって、プロセッサ１を中枢部分とするコンピュータは、上記の画面を表示するように表示デバイスを制御する制御手段として機能する。
【００３７】
図７は第２の方法選択画面ＳＣ３を示す図である。なお図７において図６に示されるのと同一の表示要素については、同一の符号を付し、その詳細な説明は省略する。
第２の方法選択画面ＳＣ３は、ボタンＢＵ１，ＢＵ２１及び案内画像ＧＩ１，ＧＩ２１，ＧＩ３１を表す。第２の方法選択画面ＳＣ３は、第１の方法選択画面ＳＣ２におけるボタンＢＵ２及び案内画像ＧＩ２，ＧＩ３に代えて、ボタンＢＵ２１及び案内画像ＧＩ２１，ＧＩ３１を表わしたものである。なお図７では、ボタンＢＵ２１及び案内画像ＧＩ２１，ＧＩ３１の枠線を破線により表しているが、これはグレイアウト表示などによって無効であることを表すものである。
【００３８】
プロセッサ１は、現金決済又は決済サービスＡでの電子マネー決済のみが許容された商品が買上商品に含まれる場合には第２の方法選択画面ＳＣ３を選び、それ以外の場合は第１の方法選択画面ＳＣ２を選ぶ。
なお、許容される決済方法の組み合わせが異なる商品が買上商品とされることがある場合には、それに適応した方法選択画面を用意しておく。方法選択画面は、３つ以上が用意されていてもよい。
Ａｃｔ９としてプロセッサ１は、上記のように選んだ方法選択画面を表示デバイス５に表示させる。
【００３９】
Ａｃｔ１０としてプロセッサ１は、アンテナ１４ａ，１４ｂ，１４ｃのスキャンを開始するように切替器１３に指示する。プロセッサ１はこの際、Ａｃｔ８で選択した方法選択画面に対応付けて予め定められたスキャンパターンを切替器１３に指示する。なお第１の方法選択画面に対応するスキャンパターンは、例えばアンテナ１４ａ，１４ｂ，１４ｃを順次に選択するものである。また第２の方法選択画面に対応するスキャンパターンは、例えばアンテナ１４ａのみを常時選択するものである。スキャンパターンは、チェックアウト装置１００の設計者又は管理者等により適宜に定められてよい。切替器１３は、指定されたスキャンパターンで、アンテナ１４ａ，１４ｂ，１４ｃのうちの１つを近接通信ユニット１２に接続する。
【００４０】
図４中のＡｃｔ１１としてプロセッサ１は、決済方法の指定がなされたか否かを確認する。そしてプロセッサ１は、該当する指定がなされていなければＮｏと判定し、Ａｃｔ１２へと進む。
Ａｃｔ１２としてプロセッサ１は、近接通信ユニット１２がＩＣタグと通信可能な状態となったか否かを確認する。そして通信可能となっていないならばＮｏと判定し、Ａｃｔ１１へと戻る。
かくしてプロセッサ１はＡｃｔ１１及びＡｃｔ１２としては、決済方法が指定されるか、あるいは近接通信ユニット１２による通信が可能になるのを待ち受ける。
【００４１】
買物客は、現金又はクレジットを利用しての決済を希望する場合には、ボタンＢＵ１又はボタンＢＵ２にタッチするなどして、現金決済又はクレジット決済を指定する。プロセッサ１は、このようなボタンタッチがタッチセンサ６により検出されたならば、Ａｃｔ１１にてＹｅｓと判定し、Ａｃｔ１３へと進む。
Ａｃｔ１３としてプロセッサ１は、指定された決済方法を利用する決済方法として決定する。
【００４２】
Ａｃｔ１４としてプロセッサ１は、この決定した決済方法に応じた決済画面を表示デバイス５に表示させる。決済画面は、決済方法に応じた決済操作を買物客に促す画面である。例えば現金決済に応じた決済画面は、自動釣銭機１０へと現金を投入するように買物客に促す画面である。例えばクレジット決済に応じた決済画面は、カードリーダ１１にクレジットカードを読み取らせるように買物客に促す画面である。
Ａｃｔ１５としてプロセッサ１は、決済操作が行われるのを待ち受ける。そしてプロセッサ１は、自動釣銭機１０への現金の投入、あるいはカードリーダ１１でのクレジットカードの読み取りなどが行われたならばＹｅｓと判定し、Ａｃｔ２１へと進む。
【００４３】
買物客は、電子マネーを利用しての決済を希望する場合には、利用する決済サービスについての電子マネーデータが記録されたＩＣチップを、その決済サービスに応じた案内画像に近接させるように表示デバイス５の表示面に翳す。例えば、決済サービスＡによる電子マネー決済を利用するならば、決済サービスＡに対応したＩＣチップを、案内画像ＧＩ１に近接させるように表示デバイス５の表示面に翳す。
【００４４】
そうすると、アンテナ１４ａ，１４ｂ，１４ｃのうちでＩＣタグが近接された案内画像に対向しているものの感度範囲内にＩＣチップが位置することとなり、このアンテナが切替器１３により選択されると、近接通信ユニット１２がＩＣタグと通信可能な状態となる。なおこの場合に近接通信ユニット１２は、スキャンの停止を切替器１３に指示する。切替器１３はこの指示の後には、そのときに選択しているアンテナを選択し続ける。こののち近接通信ユニット１２は、ＩＣタグに記録されている電子マネーデータを無線通信によってＩＣタグから読み出す。電子マネーデータは、電子マネーの識別コード及び残高などを表す。なお、ＩＣタグは、複数の決済サービスに関する電子マネーデータを記録している場合もある。そこで近接通信ユニット１２は、切替器１３が選択しているアンテナに関連付けられた決済サービスに関する電子マネーデータをＩＣタグから読み出す。この処理は、近接通信ユニット１２により自律的に行われてもよいし、プロセッサ１の制御の下に行われてもよい。
【００４５】
プロセッサ１は、以上のように通信が可能となったならばＡｃｔ１２にてＹｅｓと判定し、Ａｃｔ１６へと進む。
Ａｃｔ１６としてプロセッサ１は、切替器１３が第１のアンテナを選択しているか否かを確認する。そしてプロセッサ１は、切替器１３がアンテナ１４ａ，１４ｂ，１４ｃのうちで第１のアンテナとして予め定められたアンテナを選択しているならばＹｅｓと判定し、Ａｃｔ１７へと進む。
【００４６】
Ａｃｔ１７としてプロセッサ１は、利用する決済方法を、第１の決済サービスによる電子マネー決済に決定する。第１の決済サービスは、第１のアンテナに関連付けられた決済サービスである。第１のアンテナがアンテナ１４ａであり、アンテナ１４ａには前述のように「サービスＡ」なる決済サービスが関連付けられているのであるならば、第１の決済サービスは「サービスＡ」なる決済サービスである。プロセッサ１はこののち、Ａｃｔ２１へと進む。
【００４７】
Ａｃｔ１８としてプロセッサ１は、切替器１３が第２のアンテナを選択しているか否かを確認する。そしてプロセッサ１は、切替器１３がアンテナ１４ａ，１４ｂ，１４ｃのうちで第２のアンテナとして予め定められたアンテナを選択しているならばＹｅｓと判定し、Ａｃｔ１９へと進む。
Ａｃｔ１９としてプロセッサ１は、利用する決済方法を、第２の決済サービスによる電子マネー決済に決定する。第２の決済サービスは、第２のアンテナに関連付けられた決済サービスである。第２のアンテナがアンテナ１４ｂであり、アンテナ１４ｂには「サービスＢ」なる決済サービスが関連付けられているのであるならば、第２の決済サービスは「サービスＢ」なる決済サービスである。プロセッサ１はこののち、Ａｃｔ２１へと進む。
【００４８】
プロセッサ１は、切替器１３がアンテナ１４ａ，１４ｂ，１４ｃのうちで第３のアンテナとして予め定められたアンテナを選択しているならばＡｃｔ１８にてＮｏと判定し、Ａｃｔ２０へと進む。
Ａｃｔ２０としてプロセッサ１は、利用する決済方法を、第３の決済サービスによる電子マネー決済に決定する。第３の決済サービスは、第３のアンテナに関連付けられた決済サービスである。第３のアンテナがアンテナ１４ｃであり、アンテナ１４ｃには「サービスＣ」なる決済サービスが関連付けられているのであるならば、第３の決済サービスは「サービスＣ」なる決済サービスである。プロセッサ１はこののち、Ａｃｔ２１へと進む。
【００４９】
プロセッサ１は、以上のように、Ａｃｔ１５、Ａｃｔ１７、Ａｃｔ１９又はＡｃｔ２０からＡｃｔ２１へと進む。
Ａｃｔ２１としてプロセッサ１は、決定した決済方法での決済処理のための決済データを取得する。決済データは、現金決済の場合は、自動釣銭機１０で計数された投入金額のデータなどである。決済データは、クレジット決済の場合は、クレジットカードからカードリーダ１１により読み取られたクレジットデータなどである。決済データは、電子マネー決済の場合は、近接通信ユニット１２により読み取られた電子マネーデータなどである。
【００５０】
Ａｃｔ２２としてプロセッサ１は、Ａｃｔ１３、Ａｃｔ１７、Ａｃｔ１９又はＡｃｔ２０で決定した決済方法を利用して、Ａｃｔ７で算出した決済金額を決済するための決済処理を行う。プロセッサ１はこの決済処理に際しては、Ａｃｔ２１で取得した決済データを利用する。ここでの決済処理は、同種の別のチェックアウト装置によって行われているのと同様な処理を適用できる。
【００５１】
以上のようにプロセッサ１は、アンテナ１４ａ，１４ｂ，１４ｃのうちの１つを介して決済処理のための無線通信が開始されたことに応じて、当該のアンテナに関連付けられた決済サービスを利用する決済のための決済処理を実行する。つまり情報処理プログラムに基づく情報処理をプロセッサ１が実行することによって、プロセッサ１を中枢部分とするコンピュータは、そのように決済処理を実行する決済手段として機能する。
【００５２】
Ａｃｔ２３としてプロセッサ１は、プリンタ９を動作させてレシートを発行する。これにより、１取引に関する一連の処理が完了する。そこでプロセッサ１は、図３中のＡｃｔ１へと戻り、次の取引に関する処理の開始に備える。
【００５３】
以上のようにチェックアウト装置１００によれば、電子マネーを利用して決済を行おうとする買物客は、アンテナ１４ａ，１４ｂ，１４ｃのうちの利用する決済サービスに関連付けられたアンテナにＩＣタグを近接させればよい。つまり買物客は、ボタン操作などによる決済サービスの指定を行うことなしに、希望とする決済サービスによる電子マネー決済を行うことができる。このため、操作者である買物客の操作の手間を軽減できる。
【００５４】
またチェックアウト装置１００によれば、買物客は、第１の方法選択画面ＳＣ２に表された案内画像ＧＩ１，ＧＩ２，ＧＩ３での案内に従って、これら案内画像ＧＩ１，ＧＩ２，ＧＩ３のいずれかにＩＣタグを近接させれば、利用する決済サービスに関連付けられたアンテナにＩＣタグを近接させることができる。このときの買物客の作業は、表示デバイス５での表示に従って、表示デバイス５の表示面にＩＣタグを近接させるものであるので、直感的な作業となり、買物客の負担をさらに軽減できる。
【００５５】
またチェックアウト装置１００によれば、買上商品の登録のための操作も表示デバイス５の表示面へのタッチ操作により受け付けるようにしており、その作業と、決済サービスの選択のための作業とのいずれをも表示デバイス５の表示面で行うことが可能である。
【００５６】
またチェックアウト装置１００によれば、アンテナ１４ａ，１４ｂ，１４ｃを表示デバイス５の表示面に重ねて配置しているので、表示デバイス５の背面側に配置する場合に比べて、表示面に近接されたＩＣタグとアンテナとの離間距離が短くなる。このため、ＩＣタグとアンテナ１４ａ，１４ｂ，１４ｃのうちのいずれか１つとの通信環境を良好とすることが可能であり、的確な通信が行える可能性を高めることができる。
【００５７】
またチェックアウト装置１００によれば、登録された買上商品に鑑みて決済に利用することが許容されない決済サービスがある場合には、第２の方法選択画面ＳＣ３のように、利用が許容されるサービスに関する案内画像ＧＩ１を有効なものとして表した方法選択画面を表示する。このため買物客は、利用できる決済サービスに関連付けられたアンテナにＩＣタグを容易に近接させることが可能となる。
【００５８】
この実施形態は、次のような種々の変形実施が可能である。
チェックアウト装置１００は、物販店での商品の販売処理に適応したものであるが、自動販売機、自動券売機、あるいは前払い型の飲食物の注文機などのような別の形態の販売処理装置として実現することも可能である。
【００５９】
また、チェックアウト装置１００は、登録、決済金額の算出及び決済の各処理を行うものとしているが、登録、あるいは登録及び決済金額の算出を行わず、他の装置での登録結果に基づいて決済金額の算出及び決済を行う会計装置、あるいは他の装置での算出された決済金額を決済する決済装置として実現することもできる。
【００６０】
アンテナ１４ａ，１４ｂ，１４ｃは、表示デバイス５の背面側に配置してもよい。あるいはアンテナ１４ａ，１４ｂ，１４ｃは、表示デバイス５に重ならない状態で配置してもよい。
【００６１】
アンテナ１４ａ，１４ｂ，１４ｃのうちのいずれか１つは設けなくてもよい。あるいは、アンテナ１４ａ，１４ｂ，１４ｃ以外の１つ以上のアンテナを追加して設けてもよい。
【００６２】
近接通信ユニット１２を複数設けてもよい。この場合、近接通信ユニット１２をアンテナと同数設けて、各アンテナを近接通信ユニット１２にそれぞれ接続してもよい。そしてこの場合にプロセッサ１は、複数の近接通信ユニット１２のいずれがＩＣタグとの通信可能な状態なったかに応じて、利用する決済サービスを決定すればよい。あるいは、アンテナの数よりも少数の複数の近接通信ユニット１２を設けて、各アンテナを複数の近接通信ユニット１２のいずれかに接続してもよい。この場合にプロセッサ１は、複数の近接通信ユニット１２のいずれがどのアンテナを介してＩＣタグとの通信が可能となったかに応じて、利用する決済サービスを決定すればよい。
【００６３】
情報処理によりプロセッサ１が実現する各機能は、その一部又は全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…プロセッサ、２…メイン記憶ユニット、３…補助記憶ユニット、４…計量ユニット、５…表示デバイス、６…タッチセンサ、７…固定スキャナ、８…ハンディスキャナ、９…プリンタ、１０…自動釣銭機、１１…カードリーダ、１２…近接通信ユニット、１３…切替器、１４ａ…アンテナ、１４ｂ…アンテナ、１４ｃ…アンテナ、１５…通信ユニット、１６…伝送路、３４…補助記憶ユニット、４１…プロセッサ、１００…チェックアウト装置。
【図１】
2020057156.tif 000003
【図２】
2020057156.tif 000004
【図３】
2020057156.tif 000005
【図４】
2020057156.tif 000006
【図５】
2020057156.tif 000007
【図６】
2020057156.tif 000008
【図７】
2020057156.tif 000009